(57)【要約】      （修正有）【課題】建物のコンクリート布基礎と木の土台間に隙間を形成して床下の換気を促すために介装される通気用スペーサを連結する着脱自在の連結用プレートを提供する。【解決手段】一般住宅の床下の換気を促すために介装される通気用スペーサを連結する連結用プレートであって、材質を鋼製、板厚を１ミリ以下、長さを５０ミリから１５０ミリ、幅を１０ミリから３５０ミリとし、作業の現場でも特に工具を用いることなく容易に着脱ができる嵌合用クリップを左右に設け、幅２０ミリ以上の連結用プレートの平面部にはアンカーボルト挿通用のルーズホールを一個乃至複数個設け、複数の連結用プレートに嵌合された複数の通気用スペーサは長尺の連結体となってコンクリート基礎上の全周に設置する。【選択図】図１
0003123805.tif 000002
【実用新案登録請求の範囲】
【請求項１】
一般住宅の床下の換気を促すために介装される通気用スペーサを連結する連結用プレートであって、材質を鋼製、板厚を１ミリ以下、長さを５０ミリから１５０ミリ、幅を１０ミリから３５０ミリとし、作業の現場でも特に工具を用いることなく容易に着脱ができる嵌合用クリップを左右に設け、幅２０ミリ以上の連結用プレートの平面部にはアンカーボルト挿通用のルーズホールを一個乃至複数個設け、複数の連結用プレートに嵌合された複数の通気用スペーサは長尺の連結体となってコンクリート基礎上の全周に設置することで敷き込み忘れや土台からの はみ出し等の施工ミスを解消するために用いる通気用スペーサの着脱自在連結用プレート。
【考案の詳細な説明】
【技術分野】
【０００１】
本考案は、建物のコンクリート布基礎と木の土台間に隙間を形成して床下の換気を促すために介装される通気用スペーサを連結する着脱自在の連結用プレートに関する。
【背景技術】
【０００２】
床下の換気を促すために介装される部材として、鋼製の通気用スペーサ特許公開２００５−２２０７３６等が公開されているが、その技術は長さ３００ミリ以下で、該通気用スペーサを基礎と土台間に単独で設置する方法である。
【０００３】
又、布基礎上の全周に亘って設置する部材として、長尺の樹脂製通気用スペーサ（基礎パッキン，土台パッキン等その呼称は様々である）が公開されている。
【０００４】
【特許文献１】特許公開２００５−２２０７３６
【特許文献２】特許公開２００２−７０１８６
【特許文献３】特許公開２００３−３０１５３２
【特許文献４】特許公開２００６−５７４４０
【考案の開示】
【考案が解決しようとする課題】
【０００５】
特許文献１においては、長さ３００ミリ以下の通気用スペーサを基礎と土台間に単独で設置するについて、設計的には設置位置や数量等の記入モレや煩雑さが、作業の現場では敷き込み忘れや土台から はみ出す等の問題があった。
【０００６】
特許文献２，３，４で開示された樹脂製の長尺通気用スペーサは０００５で指摘した問題は解決しているが、住宅の基礎は必ずしも一定の長さでなく、それについても作業の現場では基礎の長さに応じてノコギリ等で切断しての対応が可能である。
【０００７】
これに対して、鋼製の長尺通気用スペーサを製造する場合、加工的には大きな金型と設備を必要とし、結果としては高価格となって市場が受け入れにくいと言う問題と、現場での設置においては鋼製のため０００６で示した樹脂製の長尺通気用スペーサのようにノコギリ等で切断して対応することは、相応の機材の用意と所要時間がかかるという問題が出てくる。
【課題を解決するための手段】
【０００８】
以上の様なことに鑑みて本考案は、一般住宅の床下の換気を促すために介装される通気用スペーサを連結する連結用プレートであって、材質を鋼製、板厚を１ミリ以下、長さを５０ミリから１５０ミリ、幅を１０ミリから３５０ミリとし、作業の現場でも特に工具を用いることなく容易に着脱ができる嵌合用クリップを左右に設け、幅２０ミリ以上の連結用プレートの平面部にはアンカーボルト挿通用のルーズホールを一個乃至複数個設け、複数の連結用プレートに嵌合された複数の通気用スペーサは長尺の連結体となってコンクリート基礎上の全周に設置することで敷き込み忘れや土台からの はみ出し等の施工ミスを解消するために用いる通気用スペーサの着脱自在連結用プレートを提供することによって課題を解決する手段とする。
【考案の効果】
【０００９】
本考案によれば、次のような効果がもたらされる。すなわち、複数の通気用スペーサを連続してつなぐことの出来る着脱自在のクリップ構造をもった複数の連結用プレートによって長尺の通気用スペーサが得られ、設計的には設置位置や数量等の記入モレや煩雑さが解消され、作業の現場では、単体での設置以外に、長尺の連結体となった通気用スペーサはすべての布基礎上に工具を用いることなくまんべんなく敷きこむことで、土台からの はみ出だしや設置忘れ等の施工ミスが解消されるという効果がある。
【００１０】
又、本考案は、連結用プレートをプレス加工するにあたって、連続加工を可能とする順送加工用金型を用いることで人件費の削減と大量生産が可能となる効果をもたらす。
【考案を実施するための最良の形態】
【００１１】
本考案の連結用プレートを実施するための最良の形態は、設計的には設置位置や数量等の記入モレや煩雑さを排除することであり、施工的には敷き込み忘れや土台からの はみ出し等の設置ミスのない施工をすることが肝要となる。そのためにはすべての布基礎上に特別に工具を用いることなく簡単に設置できるようにすることが理想であり、本考案の連結用プレートを用いて通気用スペーサを長尺の連結体にすることが最良の形態となる。
【００１２】
又、加工にあっては加工の基礎となる金型を順送型とし、コイル状鋼板を連続プレスすることで大量生産と人件費の削減が得られ、コストの低減に貢献することが最良の形態となる。
【実施例】
【００１３】
以下、本考案における連結用プレート実施例を図面に従って説明する。図１-１は本考案の連結用プレートの斜視図である。２は嵌合用クリップであり、３はアンカーボルト挿通用ルーズホールである。図２は複数の連結用プレートと複数の通気用スペーサが連結されて得られた長尺の連結体通気用スペーサの斜視図である。図３は通気用スペーサを単独で布基礎上に敷き込んだ時に起こり得る施工上の不具合の模様を示した平面図である。図４は複数の連結用プレートと複数の通気用スペーサが連結されて得られた長尺の連結体通気用スペーサが布基礎上に設置された時の模様を示した平面図である。
【００１４】
本考案の連結用プレート図１においての実施例では、素材を鋼製とし、板厚を０．５ミリ、長さを１００ミリ、幅は６５ミリを用い、通気用スペーサとの嵌合は左右をクリップ式としている。
【００１５】
このクリップの形状は幅側の左右を６ミリほどＵの字に折り曲げて、嵌合前は平面部に密着しているが、先端部分だけは嵌合時に通気用スペーサのフランジ部が挿入しやすいように板厚以上の隙間をもたせた口開き構造としている。
【００１６】
００１４，００１５に掲げた数字は必ずしも限定されたものでなく、板厚を０．２５ミリ〜１．０ミリ、長さを５０ミリ〜１５０ミリ、幅を１０ミリ〜３５０ミリ、Ｕの字の折り曲げの長さは３ミリ〜１０ミリの範囲としてよい。
【００１７】
又、幅２０ミリ以上の連結用プレートには位置ずれアンカーボルトにも容易に挿通できるようにアンカーボルト挿通用のルーズホールを一個乃至複数個設けてある。
【産業上の利用可能性】
【００１８】
本考案における産業上の利用可能性として、一般住宅の床下の換気を促すために介装される通気用スペーサは既に戸建て住宅で広く普及しているが、その設置方法において、例えば、通し柱の下，土台仕口の下，土台つなぎ目の下，アンカーボルトの立ち上がり位置等々には少なくとも設置する必要があるが、０００５で指摘したように、長さ３００ミリ以下の通気用スペーサを基礎と土台間に設置するにおいて、設計上の記入モレや煩雑さ、作業の現場での設置位置への敷き込み忘れや土台からの はみ出し、あるいは基礎の長さに応じてノコギリ等で切断すると言う煩雑さがあった。これらの問題に対し、本考案の着脱自在の連結用プレートを採用して長尺の通気用スペーサとすることにより、布基礎上に通気用スペーサを満遍なく短時間で効率よく設置することが可能となり、前述のような問題を解消できるという産業上の利用可能性がでてくる。
【図面の簡単な説明】
【００１９】
【図１】本考案の連結用プレートの斜視図
【図２】本考案の連結用プレートと通気用スペーサが連結された状態の斜視図
【図３】基礎上に通気用スペーサを単独で設置した時の不具合の模様を示す平面図
【図４】基礎上に連結体の通気用スペーサを設置した時の模様を示す平面図
【符号の説明】
【００２０】
１・・・連結用プレート
２・・・嵌合用クリップ部
３・・・アンカーボルト挿通用ルーズホール
４・・・通気用スペーサ（ルーズホールと円筒突起は図示省略）
【図１】
0003123805.tif 000003
【図２】
0003123805.tif 000004
【図３】
0003123805.tif 000005
【図４】
0003123805.tif 000006